(57)【特許請求の範囲】
【請求項１】
第一筐体と第二筐体との二つの筐体が連結して一体構成する携帯無線機において、
前記筐体内に収納されて装置全体を制御する制御部と、
前記筐体に装着されて所定の情報を送受信するアンテナと、
前記制御部と前記アンテナとの間に介在して前記アンテナで送受信する情報の送受信処理を行う送受信回路部と、
前記筐体内で前記第一筐体及び第二筐体の開閉状態を検出して前記制御部に送信する開閉検出部と、
前記制御部に接続されて前記筐体を閉じた外側面に表示部を配置して該筐体の動作状態を報知する報知手段とを備え、
前記制御部は前記送受信回路部による通信中に前記筐体の閉状態を前記開閉検出部により検出した場合、前記報知手段を制御して使用者に通信中であることを報知することを特徴とする携帯無線機。
【請求項２】
第一筐体と第二筐体との二つの筐体が筐体回動部を介して回動自在に連結して一体構成する折り畳み式携帯無線機において、
前記筐体内に収納されて装置全体を制御する制御部と、
前記筐体に装着されて所定の情報を送受信するアンテナと、
前記制御部と前記アンテナとの間に介在して前記アンテナで送受信する情報の送受信処理を行う送受信回路部と、
前記筐体内で前記第一筐体及び第二筐体の開閉状態を検出して前記制御部に送信する開閉検出部と、
前記制御部に接続されて前記筐体を折り畳んだ外側面に表示部を配置して該筐体の動作状態を報知する報知手段とを備え、
前記制御部は前記送受信回路部による通信中に前記筐体を折り畳んだ状態を前記開閉検出部により検出した場合、前記報知手段を制御して使用者に通信中であることを報知することを特徴とする携帯無線機。
【請求項３】
請求項１または２のいずれかに記載の携帯無線機において、
前記報知手段は、前記筐体を閉じた又は折り畳んだ外側面の前記表示部に加えて、音による報知、または振動による報知のいずれか一方或いは両方を組み合わせて報知することを特徴とする携帯無線機。
【請求項４】
請求項１乃至３のいずれかに記載の携帯無線機において、
前記制御部は、前記送受信回路部による通信中に前記筐体の閉状態又は折り畳んだ状態を前記開閉検出部により検出した場合、前記送受信回路部による通信状態を保留にした後、前記報知手段によって保留状態にあることを報知するように設けたことを特徴とする携帯無線機。
【請求項５】
請求項４に記載の携帯無線機において、
前記制御部は、前記報知手段による保留状態の報知を一定時間行った後、自動的に前記報知を停止して保留中の前記送受信回路部による通信を切断することを特徴とする携帯無線機。
【発明の詳細な説明】
【０００１】
【発明の属する技術分野】
本発明は、携帯無線機に係り、より詳細には２つの筐体によって構成される携帯無線機に関する。
【０００２】
【従来の技術】
従来、例えば、ＰＨＳ電話機、携帯電話機などの携帯無線機には、第一筐体と第二筐体との二つの筐体が折り畳みまたはスライドなどにより重なり合うように一体構成し、この筐体が重なり合う合わせ面にキー操作部を配置して閉じた状態にすることで、携帯時に不必要な押下を防止する折り畳み式またはスライド式などの携帯無線機が良く知られている。
ここで特に、この従来の折り畳み式またはスライド式の携帯無線機を、折り畳み式の携帯電話機を例にして説明すると、例えば、通話中に誤って二つの筐体を折り畳んでしまった場合、ＬＣＤなどの表示部が折り畳みにより収納されて通信中の状態を確認できないため、通信状態が継続して知らない間に課金（通話料を課金）されてしまう。
そこで、従来の折り畳み式携帯電話機では、折り畳むと同時に通信状態を停止するもの、折り畳むと同時に通信状態を保留するもの、或いは折り畳むと同時に一定時間通信状態を保留した後で自動的に切断するものなどの機能を備え、通話中の状態が長い間継続しないように防止していた。
【０００３】
しかしながら、この従来の折り畳み式携帯電話機では、ユーザが通信中に誤って筐体を折り畳んでしまった場合、前述した折り畳むことで同時に通信を停止する機能では通信状態が急に切断されるため、通信相手に不快感を与えてしまう。また、折り畳むと同時に保留する機能においては、筐体を誤って折り畳んだ場合、筐体の外側に保留中であることを表す表示が無く、結果的にユーザが保留中であることを認識できず通信状態が継続してしまう。
【０００４】
【発明が解決しようとする課題】
このように、従来の携帯無線機では、ユーザが通信中に誤って２つの筐体を重ねて閉状態にした際、通信を切断する機能を備えた場合は急な切断により通信相手に不快感を与えてしまったり、不快感を与えないために通信を保留する機能を備えた場合には筐体の外側に保留中であることを表す表示が無いためユーザが保留中であることを認識できず通信を継続した状態で放置されてしまうという不具合があった。
また、従来の携帯無線機では、前述したようにユーザが保留中であることを認識できず通信状態を放置した場合、ユーザの意思に反して通信状態が継続して無駄に課金されてしまうという不具合があった。
本発明はこのような課題を解決し、通信中に筐体の閉状態を検出してユーザに報知でき無駄な通話状態を低減及び防止できる携帯無線機を提供することを目的とする。
【０００５】
【課題を解決するための手段】
本発明は上述の課題を解決するために、第一筐体と第二筐体との二つの筐体が連結して一体構成する携帯無線機であって、筐体内に収納されて装置全体を制御する制御部と、筐体に装着されて所定の情報を送受信するアンテナと、制御部とアンテナとの間に介在してアンテナで送受信する情報の送受信処理を行う送受信回路部と、筐体内で第一筐体及び第二筐体の開閉状態を検出して制御部に送信する開閉検出部と、制御部に接続されて筐体を閉じた外側面に表示部を配置して筐体の動作状態を報知する報知手段とを備え、制御部は送受信回路部による通信中に筐体の閉状態を開閉検出部により検出した場合、報知手段を制御して使用者に通信中であることを報知するように設ける。
【０００６】
また、第一筐体と第二筐体との二つの筐体が筐体回動部を介して回動自在に連結して一体構成する折り畳み式携帯無線機であって、筐体内に収納されて装置全体を制御する制御部と、筐体に装着されて所定の情報を送受信するアンテナと、制御部とアンテナとの間に介在してアンテナで送受信する情報の送受信処理を行う送受信回路部と、筐体内で第一筐体及び第二筐体の開閉状態を検出して制御部に送信する開閉検出部と、制御部に接続されて筐体を折り畳んだ外側面に表示部を配置して筐体の動作状態を報知する報知手段とを備え、制御部は送受信回路部による通信中に筐体を折り畳んだ状態を開閉検出部により検出した場合、報知手段を制御して使用者に通信中であることを報知するように設ける。
【０００７】
ここで、報知手段は、筐体を閉じた又は折り畳んだ外側面の表示部に加えて、音による報知、または振動による報知のいずれか一方或いは両方を組み合わせて報知することが好ましい。また、制御部は、送受信回路部による通信中に筐体の閉状態又は折り畳んだ状態を開閉検出部により検出した場合、送受信回路部による通信状態を保留にした後、報知手段によって保留状態にあることを報知するように設けることが好ましい。制御部は、報知手段による保留状態の報知を一定時間行った後、自動的に報知を停止して保留中の送受信回路部による通信を切断することが好ましい。
【０００８】
【発明の実施の形態】
次に、本発明による携帯無線機の実施の形態を折り畳み式携帯電話機を例にして説明する。図１は、本発明の実施の形態としての折り畳み式携帯電話機を示す図であり、図１（ａ）は筐体１の合わせ面を、図１（ｂ）は筐体１の背面を各々示している。また、図２は、図１に示した折り畳み式携帯電話機の内部構造を示すブロック図である。また、図３は、図１に示した筐体１の開閉状態を示す斜視図であり、図３（ａ）は開いた状態を、図３（ｂ）は折り畳んだ状態を各々示している。
【０００９】
図１に示すように、本発明の実施の形態としての折り畳み式携帯電話機は、筐体回動部６を介して第一筐体２と第二筐体４とを回動自在に連結して一体構成する筐体１を設け、この筐体１に伸縮可能に装着されて所定の情報を送受信するアンテナ１１ａを備えている。また、筐体１には、図１（ａ）に示すように、所定の情報を表示するＬＣＤまたは有機ＥＬディスプレイなどからなる表示部１２ａと、所定の機能を操作するキー操作部１３とを備えている。この表示部１２ａ及びキー操作部１３は、筐体回動部６を軸にして折り畳むことで第一筐体２と第二筐体４とが重なり合う合わせ面に形成しており、携帯時に筐体１を折り畳んで露出しないように配置されている。また、筐体１の合わせ面には、アンテナ１１ａによる通信（通話）時に音声の出力及び収音を行うスピーカ１６ａとマイク１６ｂとを配置している。
【００１０】
また、筐体１には、図１（ｂ）に示すように、第一筐体２と第二筐体４とを折り畳んで外側に露出する背面に、所定の動作状態を点灯または点滅などにより報知する発光部２６と、音により報知するリンガ又はスピーカ２４とを備えた報知手段２０が配置されている。ここで、発光部２６は、ＬＥＤからなり、充電時に点灯する充電用発光部２６ａと、所定のサービスセンタとの接続時に点灯する通信用発光部２６ｂと、着信時に点灯（または点滅）する着信用発光部２６ｃとを各々備えている。また、筐体１内には、報知手段２０として所定の動作状態を振動により報知するバイブレータ２２（図２参照）を備えている。そして、筐体１には、図示されていないが、第一筐体２と第二筐体４との開閉状態を検出する開閉検出部３０（図２参照）を備えている。
【００１１】
ここで、この折り畳み式携帯電話機は、ユーザが通信中に誤って筐体を折り畳んだ場合、通信を継続した状態で、開閉検出部３０により筐体１の開閉状態を検出して報知手段２０により報知（警告）できるように形成している。より詳しく説明すると、筐体１内には、図２に示すように、装置全体を制御する制御部１０を備え、この制御部１０に前述した開閉検出部３０、報知手段２０、表示部１２ａ、キー操作部１３などの部品を各々接続して制御できるように形成している。
【００１２】
ここで、アンテナ１１ａには、ＣＰＵを内蔵した制御部１０により制御され、アンテナ１１ａで送受信する情報の送受信処理を行う送受信回路部１１が接続されている。すなわち、この送受信回路部１１は、音声メッセージや文字メッセージまたは制御信号等を高周波により変調してアンテナ１１ａより送出したり、アンテナ１１ａより受信した音声メッセージや文字メッセージまたは制御信号等を復調して制御部１０に出力する。
【００１３】
また、制御部１０は、フラッシュメモリ１４が接続され、このフラッシュメモリ１４に記憶されたプログラムに従って、キー操作部１３および送受信回路部１１からの制御信号を受けて動作し、表示部ドライバ１２、音声処理部１６、報知手段２０、及び開閉検出部３０などを制御する。また、制御部１０は、ＲＡＭ１５に接続され、フラッシュメモリ１４に記憶されたプログラムを実行するときにＲＡＭ１５をワークエリアとして使用する。ＲＡＭ１５には、文字入力の際の辞書機能の１つである学習機能データも記憶される。フラッシュメモリ１４は、メッセージセンタから受信した文字メッセージや文字パターン（英、数字も含む）／アイコン（図形）などのフォント情報を記憶し、さらに電話帳メモリとしても使用され、複数の電話番号および氏名等を記憶する。
【００１４】
また、表示部１２ａは、制御部１０に表示部ドライバ１２を介して接続され、この制御部１０の制御によって表示部１２ａを駆動させて表示を行う。すなわち、表示部ドライバ１２は、制御部１０からの制御信号に対応する文字パターン（英、数字も含む）やアイコン（図形）パターンをフラッシュメモリ１４から読み出し、表示部１２ａに表示する
また、報知手段２０は、制御部１０により制御されて所定の動作状態を、バイブレータ２２、リンガ又はスピーカ２４、発光部２６のいずれかを組み合わせて所定の警告をユーザに報知する。ここで、リンガ又はスピーカ２４は、制御部１０によって制御され、所定の動作時（例えば、着信時等）に鳴動してそれを知らせる。また、バイブレータ２２は、制御部１０の制御の下で、所定の動作時に振動によりそれを知らせる。また、発光部２６は、制御部１０の制御の下で、所定の動作時に点灯または点滅のいずれかによりそれを知らせる。
また、音声処理部１６は、スピーカ１６ａおよびマイク１６ｂに接続され、制御部１０から入力した音声信号を増幅してスピーカ１６ａで出力したり、マイク１６ｂで収音した音声信号を増幅して制御部１０に出力する処理を行う。
【００１５】
このように本発明の実施の形態としての折り畳み式携帯電話機は、送受信回路部１１による通信中に筐体１が折り畳まれて閉状態になった場合、制御部１０の制御によって、開閉検出部３０が動作して筐体１の閉状態を検出するとともに、この検出情報に基づいて報知手段２０を制御することでユーザに通信中であることを報知できるように形成されている。
【００１６】
次に、このように形成された本発明の実施の形態としての折り畳み式携帯電話機の動作について図３を参照して詳しく説明する。まず、ユーザが通信（通話）を開始する場合、図３（ａ）に示すように、筐体回動部６を軸にして第一筐体２と第二筐体４とを開くように回動させてキー操作部１３及び表示部１２ａを露出させる。そして、ユーザは、露出したキー操作部１３を操作することで送受信回路部１１（図２参照）を駆動させてアンテナ１１ａの送受信により所定の通信相手とスピーカ１６ａ及びマイク１６ｂを介して通話を行う。この際、表示部１２ａには、筐体１の動作状態を文字または図形により表示してユーザに報知する。
【００１７】
一方、このような通信状態においてユーザが誤って筐体１を図３（ｂ）に示すように折り畳んで閉状態にした場合、図２に示した開閉検出部３０が筐体１の閉状態、つまり折り畳まれた状態を検出するとともに、この検出情報を制御部１０に送信する。そして、制御部１０は、開閉検出部３０から検出情報を受信すると、送受信回路部１１が通信状態にあることを確認した後、報知手段２０を制御してユーザに通信中であることを報知する。このとき、通信状態を継続している。この際、制御部１０は、筐体１をカバンや衣服のポケットに収納した場合、ユーザに通信中であることを確実に報知するため、リンガ又はスピーカ２４による報知、またはバイブレータ２２による報知のいずれか一方を必ず行うことが好ましい。
【００１８】
ここで、リンガ又はスピーカ２４による報知は、図３（ｂ）に示したように、折り畳んで閉状態にある筐体１の背面から所定の報知音（警告音）を鳴らしてユーザに報知する。また、バイブレータ２２による報知は、図示されていないが、筐体１内でモータの偏心錘を回転させて振動を発生させるアンバランスモータ（あるいは振動モータ）を用いて筐体１を振動させて報知する。そして、発光部２６は、図３（ｂ）に示したように、折り畳んだ閉状態でユーザが視覚により通信中であることを認識できるように充電用発光部２６ａ、通信用発光部２６ｂ、及び着信用発光部２６ｃのいずれかを組み合わせて点灯または点滅させて報知する。これによりユーザは、通信中に筐体１を折り畳んで閉状態にしたことを認識し、通信（通話）状態を継続または切断することが可能になる。
【００１９】
ところで、本発明の実施の形態としての折り畳み式携帯電話機を用いた動作において、従来技術のように、通信（通話）中に筐体１を折り畳んで閉状態にした際に通信状態を保留する場合、この保留状態にある間、報知手段２０によって断続的或いは継続的にユーザに報知する。一方、通信中に筐体１を折り畳んで閉状態にした際に通信状態を一定時間保留して切断する場合は、保留状態にある間、報知手段２０によって断続的或いは継続的にユーザに一定時間報知した後、自動的に報知を停止して保留中の送受信回路部による通信を切断するように形成する。従って、本発明の実施の形態としての折り畳み式携帯電話機は、筐体１を折り畳んで閉状態にした際に通話中または保留中である場合、制御部１０が報知手段２０を制御してユーザに通話中または保留中であることを報知する構造を備えている。
【００２０】
以上、本発明による携帯無線機の実施の形態を折り畳み式携帯電話機により詳細に説明したが、本発明はこの実施の形態に限定されるものではなく、その要旨を逸脱しない範囲で変更可能である。
例えば、折り畳み式に代えて、２つの筐体をスライド可能に一体構成するスライド式を採用した携帯無線機でもよい。
また、充電用発光部、通信用発光部、及び着信用発光部を組み合わせて報知する発光部であるように説明したが、これに限定されるものではなく、例えば、通話中または保留中に筐体の閉状態を報知する専用の発光部を設けることも可能である。
さらに、筐体の背面にＬＥＤからなる発光部を配置した例を説明したが、これに限定されるものではなく、例えば、発光部に変えてＬＣＤなどを用いた表示部を設けて警告を報知しても良い。
【００２１】
【発明の効果】
このように本発明による携帯無線機によれば、ユーザが誤って（または通話中であることを知らないうちに）筐体を閉状態（折り畳み式またはスライド式などにより閉状態）にした場合、報知手段の報知により通話中であることをユーザが認識できるため、その閉じたことによる無駄な通話状態を早急に解除することができ、通信相手側に不快感を与えることを防止できる。
また、本発明による携帯無線機によれば、前述した報知手段の報知によりユーザが無駄な通話状態を早急に解除できるように促すため、ユーザの意思に反して通信状態が継続して無駄に課金（通話料の課金）されてしまうことを防止することができる。
【図面の簡単な説明】
【図１】本発明による携帯無線機の実施の形態として折り畳み式携帯電話機を示す図。
【図２】図１に示した折り畳み式携帯電話機の内部構造を示すブロック図。
【図３】図１に示した筐体の開閉状態を示す斜視図。
【符号の説明】
１    筐体
２    第一筐体
４    第二筐体
６    筐体回動部
１０    制御部
１１    送受信回路部
１１ａ  アンテナ
１２    表示部ドライバ
１２ａ  表示部
１３    キー操作部
１４    フラッシュメモリ
１５    ＲＡＭ
１６    音声処理部
１６ａ  スピーカ
１６ｂ  マイク
２０    報知手段
２２    バイブレータ
２４    リンガ又はスピーカ
２６    発光部
２６ａ  充電用発光部
２６ｂ  通信用発光部
２６ｃ  着信用発光部
３０    開閉検出部
【図１】
0003742968.tif 000002
【図２】
0003742968.tif 000003
【図３】
0003742968.tif 000004